(57)【要約】【課題】芯タンクから蓋体を外したまま、芯材を繰り出して削ることのできるシャープペンシルの提供。【解決手段】筆記する際に手で持つ筒状の軸体２を設ける。芯材を繰り出し可能に保持する芯材保持部を軸体２の先端に装着する。芯材保持部の基端側に芯タンク３を設けて軸体２に収容する。芯タンク３の基端に装着する蓋体４を設ける。芯タンク３を軸体２の基端側から押込み操作して芯材保持部から芯材を繰り出すようにする。蓋体４に芯削り器を設ける。芯タンク３を軸体２から基端側に突出する長さに設定する。【選択図】  図１
0003227144.tif 000002
【実用新案登録請求の範囲】
【請求項１】
筆記する際に手で持つ筒状の軸体と、該軸体の先端に装着されて芯材を繰り出し可能に保持する芯材保持部と、該芯材保持部の基端側に設けられて軸体に収容される芯タンクと、該芯タンクの基端に装着される蓋体と、を備え、前記芯タンクを軸体の基端側から押込み操作して芯材保持部から芯材を繰り出すシャープペンシルであって、
前記蓋体に芯削り器が設けられ、前記芯タンクが軸体から基端側に突出する長さに設定されたことを特徴とするシャープペンシル。
【請求項２】
前記芯削り器は、前記蓋体の底部に収納されたことを特徴とする請求項１に記載のシャープペンシル。
【考案の詳細な説明】
【技術分野】
【０００１】
本考案は、例えば、デッサン用の太い芯材を繰り出し可能に保持する構造で、その蓋体に芯削り器を設けたシャープペンシルに関するものである。
【背景技術】
【０００２】
一般に、シャープペンシルは、筆記する際に手で持つ筒状の軸体と、軸体の先端に装着されて芯材を繰り出し可能に保持する芯材保持部と、芯材保持部の基端側に設けられて軸体に収容される芯タンクと、芯タンクの基端に装着される蓋体と、を備えた構造とされ、蓋体を装着した芯タンクを軸体の基端側から押込み操作して芯材保持部から芯材を繰り出すようになっている。
【０００３】
さらに、例えばデッサン用のシャープペンシルでは、その太い芯材の先端を尖らすための芯削り器（削り具）を蓋体（キャップ）の内部に装着することがある（例えば特許文献１）。
【０００４】
図６に示すように、特許文献１のシャープペンシルでは、芯削り器１０１を内部に装着することによって蓋体１０２が長くなる分、芯タンク１０３を短くしており、芯タンク１０３の基端を軸体１０４の基端から奥まった位置に設定している。
【先行技術文献】
【特許文献】
【０００５】
【特許文献１】実開昭６０−５８３９０（実用新案登録請求の範囲、第１図）
【考案の概要】
【考案が解決しようとする課題】
【０００６】
ところで、芯材の先端を削るには、芯材保持部から芯材を繰り出す必要があるが、特許文献１のシャープペンシルのように、芯タンクの基端を軸体の基端から奥まった位置に設定していると、蓋体を外したまま芯タンクを押込み操作して芯材を繰り出すことができない。
【０００７】
この場合、蓋体に装着した芯削り器で芯材を削るには、芯タンクに蓋体を装着して芯材を繰り出した後、芯タンクから蓋体を外して芯材を削る必要があり、芯材の操出量を調節しながら芯材を削ることができない。
【０００８】
本考案は、芯タンクから蓋体を外したまま、芯材を繰り出して削ることのできるシャープペンシルの提供を目的とする。
【課題を解決するための手段】
【０００９】
上記目的を達成するために、本考案に係るシャープペンシルは、筆記する際に手で持つ筒状の軸体と、軸体の先端に装着されて芯材を繰り出し可能に保持する芯材保持部と、芯材保持部の基端側に設けられて軸体に収容される芯タンクと、芯タンクの基端に装着される蓋体と、を備え、その芯タンクを軸体の基端側から押込み操作して芯材保持部から芯材を繰り出すものであり、蓋体に芯削り器を設けて、芯タンクを軸体から基端側に突出する長さに設定したものである。
【００１０】
上記構成によれば、芯タンクを軸体から基端側に突出する長さに設定するので、蓋体を外したまま、芯タンクを押込み操作して芯材を繰り出すことができ、芯タンクに蓋体を付け外しすることなく、蓋体の芯削り器を用いて、芯材の操出量を調節しながら芯材を削ることができる。
【００１１】
また、芯削り器を蓋体の底部に収納するようにしてもよい。
【００１２】
この構成によると、蓋体が芯削り器よりも基端側に突出するのを抑えて、蓋体を短くすることができ、芯タンクを軸体から突出する長さに設定しつつ、軸体の基端からの蓋体の突出量を小さくすることができる。
【考案の効果】
【００１３】
以上のとおり、本考案によると、蓋体に芯削り器を設けたシャープペンシルの芯タンクを軸体から突出する長さに設定するようにしている。これにより、シャープペンシルから蓋体を外したまま、芯タンクを押込み操作して芯材を繰り出すことができ、芯材の操出量を調節しながら、蓋体の芯削り器を用いて芯材を削る際、芯タンクへの蓋体の付け外しを省略することができる。
【図面の簡単な説明】
【００１４】
【図１】本考案に係るシャープペンシルの斜視図
【図２】芯削り器の斜視図
【図３】蓋体の横断面図
【図４】図３のＡ−Ａ断面図
【図５】図３のＢ−Ｂ断面図
【図６】従来のシャープペンシルの側面図
【考案を実施するための形態】
【００１５】
以下、本考案に係るシャープペンシルを実施するための形態について、図面を用いて説明する。
【００１６】
図１〜図４に示すように、シャープペンシル１は、例えば、デッサン用の太い芯材を繰り出し可能に保持する構造の筆記具であり、筆記する際に手で持つ筒状の軸体２と、軸体２の先端に装着されて芯材を保持する芯材保持部と、芯材保持部の基端側に設けられて軸体に収容される芯タンク３と、芯タンク３の基端に装着される蓋体４と、蓋体４の底部に収納された芯削り器５と、を備え、その芯タンク２を軸体３から基端側に突出する長さに設定することにより、蓋体４を取り外した芯タンク２を軸体の基端側から押込み操作して芯材保持部から芯材を繰り出すことができるようにしたものである。
【００１７】
軸体２は、直に手で持つシャープペンシル１の本体部分であり、この軸体２を手に持って、基端側に突出する芯タンク３を押込み操作することにより、軸体２の先端部に内装された芯材保持部から芯材を繰り出すようになっている。
【００１８】
芯タンク３は、芯材保持部に供給する芯材を収納する筒体とされ、軸体３から基端側に突出する部位をノックして押込み操作するようになっている。芯タンク３の基端には、蓋体４を有底筒体の蓋体４を外嵌装着することができ、蓋体４を装着した状態でも、取り外した状態でも押込み操作することができる。
【００１９】
図２に示すように、芯削り器５は、底部にＲを有するＶ字状の切欠６を長方形の金属板の長手方向両側に形成し、その金属板を二つ折りにすると共に、切欠６の底部付近から先端側をＶ字状に開いた構造とされる。
【００２０】
図３〜図５に示すように、芯削り器５は、蓋体４の内側に挿入して、４本の外測辺７の各先端８を蓋体４の内面に点接触させ、さらに、芯削り器５の折り目が蓋体４の底部に至るまで押し込むことにより、蓋体４の底部に保持される。
【００２１】
芯削り器５を用いて芯材を削るには、まず、芯タンク３から蓋体４を外したまま、芯タンク３の基端をノックして芯材を繰り出す。この芯材の操出量を調節しながら、芯材を蓋体４に挿入することにより、蓋体４の底部の芯削り器５のＶ字状の切欠６に芯材の先端を接触させる。切欠６は、その４本の内側辺９が放射状に拡がって位置し、軸体２又は蓋体４を回転させることにより、太い芯材の先端を内側辺９に沿って尖った形状に削ることができる。
【符号の説明】
【００２２】
１      シャープペンシル
２      軸体
３      芯タンク
４      蓋体
５      芯削り器
６      切欠
７      外測辺
８      先端
９      内側辺
【図１】
0003227144.tif 000003
【図２】
0003227144.tif 000004
【図３】
0003227144.tif 000005
【図４】
0003227144.tif 000006
【図５】
0003227144.tif 000007
【図６】
0003227144.tif 000008